(57)【特許請求の範囲】
【請求項１】
本体にソフト収納ケースを挿脱可能とした収容部を設けると共に当該収容部の一対の対向端部を遮る係合片を設け、前記係合片が収容部内に収容されたソフト収納ケースの両端部表面と対面して前記ケースが収容部から抜け止め状態になると共に、一端側の係合片とソフト収納ケースの一端側との対面が外れるまで前記ケースを他端側に移動させた後前記一端側を引き出す態様で前記ケースを収容部から取り出せるようにしてあり、更に、本体には回動によりソフト収納ケースの前記他端側への移動を可能・不能ならしめるストッパを設けてあり、ストッパ又は本体のうち一方に押し込み可能な係止爪を、他方に外部からキー挿入操作が可能なキー操作用孔を設けてあり、ソフト収納ケースの移動不能において係止爪がキー操作用孔に挿入状態になっていることを特徴とするソフト収納ケースの保持具。
【請求項２】
係止爪及びキー操作用孔は複数個具備させてあることを特徴とする請求項１記載のソフト収納ケースの保持具。
【請求項３】
ストッパは本体に対して取り外し不能としてあることを特徴とする請求項１又は２記載のソフト収納ケースの保持具。
【発明の詳細な説明】
【０００１】
【発明の属する技術分野】
この発明は、所謂ＣＤソフトやファミコンソフト等の販売店やレンタル店で、前記ソフトを収納したケース（この明細書ではソフト収納ケースという）を陳列するときに使用されているソフト収納ケースの保持具に関するものである。
【０００２】
【従来の技術】
ＣＤソフト収納ケースの保持具としては、図６に示す如く、側部にＣＤケースを挿脱するための開放部９０ａを有した本体９０と、前記本体９０の底部に出没可能に設けられたケース受け部材９１と、前記ケース受け部材９１を移動不能にして本体９０からのＣＤソフト収納ケースの取り出しを不能にするロック機構９２とから構成されたものがある。このものでは、図７に示すように、強力な吸着力を有する磁石９３によりロック機構９２を構成する軸体９２ａをバネ９２ｂの付勢力に抗して下方に移動せしめ、軸体９２ａと受け部在９１との係合を解除することによりＣＤソフト収納ケースの取り出しを可能ならしめている。
【０００３】
上記ＣＤソフト収納ケースの保持具では、本体９０の後壁内面側に盗難検知用のタグ（図示せず）が付されており、保持具の付いたＣＤソフト収納ケースをそのまま店外に持ち出そうとすると、店の出入口に設置されたゲートを通過するときに検知されるようになっている。
【０００４】
したがって、保持具により保持された希望するＣＤソフト収納ケースをゲート前のカウンターで一旦店員に手渡し、前記ロック機構９２を解除して保持具から取り出してもらわなければ店外に持ち出すことができず、したがって盗難は防止される。
【０００５】
しかしながら、上記ＣＤソフト収納ケースの保持具では、強力な吸着力を有する磁石を所有していれば店員以外の者でもロック機構９２を解除できることから、上記のようなゲートシステムを使用していても、盗難が有効に防止できないという問題が発生し得る。
【０００６】
【発明が解決しようとする課題】
そこで、この発明では、ソフトの盗難が有効に防止できるソフト収納ケースの保持具を提供することを課題とする。
【０００７】
【課題を解決するための手段】
この発明のソフト収納ケースの保持具は、本体にソフト収納ケースを挿脱可能とした収容部を設けると共に当該収容部の一対の対向端部を遮る係合片を設け、前記係合片が収容部内に収容されたソフト収納ケースの両端部表面と対面して前記ケースが収容部から抜け止め状態になると共に、一端側の係合片とソフト収納ケースの一端側との対面が外れるまで前記ケースを他端側に移動させた後前記一端側を引き出す態様で前記ケースを収容部から取り出せるようにしてあり、更に、本体には回動によりソフト収納ケースの前記他端側への移動を可能・不能ならしめるストッパを設けてあり、ストッパ又は本体のうち一方に押し込み可能な係止爪を、他方に外部からキー挿入操作が可能なキー操作用孔を設けてあり、ソフト収納ケースの移動不能において係止爪がキー操作用孔に挿入状態になっているものとしてある。
【０００８】
このソフト収納ケースの保持具では、特殊な専用キーをキー操作用孔に挿入して係止爪を押し込みながらストッパを回動させることにより、ソフト収納ケースの移動可能状態にすることができる。
【０００９】
したがって、ストッパをソフト収納ケースの移動可能状態にした後、一端側の係合片とソフト収納ケースの一端側との対面が外れるまで前記ケースを他端側に移動させて前記一端側を引き出すようにすれば、前記ケースを収容部から取り出すことができる。
【００１０】
このように、従来のもののような容易に手に入る強力な磁石によるのではなく、上記専用キーでない限りソフト収納ケースの保持具における本体からソフト収納ケースを取り出すことができないことから、この発明のソフト収納ケースの保持具を用いれば、ソフトの盗難が有効に防止できる。
【００１１】
なお、前記ソフト収納ケースの保持具に関して、複数個の係止及びキー操作用孔を具備させてあることが好ましい。このような構成とした場合、同時に複数個の係止爪を本体の壁面内に押し込む必要があるから、さらにソフトの盗難が有効に防止できる。
【００１２】
【発明の実施の形態】
以下、この発明の実施の形態を図面に従って説明する。
【００１３】
図１や図３に示す保持具は、シングル盤のコンパクトディスクが収納されたソフト収納ケースＫ（以下、単に収納ケースＫという）を保持するためのものであり、前記収納ケースＫの形状に合わせて本体１の形状を設定してある。
【００１４】
以下に、この保持具の全体構成及び、この保持具を構成する本体１及びストッパ２等の構成について説明する。
〔保持具の全体構成について〕
この保持具は、図１に示す如く、本体１に収納ケースＫを挿脱可能とした収容部１０を設けると共に当該収容部１０の上下対向端部を遮る係合片１１，１２を設け、下端部側の係合片１２よりも下側の本体１部分にストッパ２を回動自在に取り付けてある。
【００１５】
ここで、この保持具では、図３に示すように、係合片１１，１２が本体１内に収容された収納ケースＫの上下両端部表面と対面して前記収納ケースＫが収容部１０から抜けない状態になるものとしてある。そして、図４に示す如く、ストッパ２を専用キー３（図１参照）により回動させた状態において、係合片１１と収納ケースＫの上端側との対面が外れるまで前記収納ケースＫを下端側に移動させ、前記上端側を引き出すよう（取出孔１５から指により押し出した後引き出す）すれば前記収納ケースＫを収容部１０から取り出せるようにしてある。
〔本体１の構成について〕
本体１は、図２や図３に示すように、上記係合片１１，１２の存在により収容部１０の開放口の上下方向寸法が収納ケースＫのそれよりも少し小さくなっており、他方側壁１３ａ，１３ａの内面からそれぞれ舌片１４が突出するものとしてある。また、この本体１の底壁１３ｂにはその上域に取出孔１５を設けてあり、中程に盗難防止用タグを貼設するための薄肉部１６（内面に凹み部を設け、この凹み部にタグが貼られる）を設けてある。
【００１６】
さらに、この本体１の下端部には、図２に示すように、底壁１３ｂから少し離れた中間壁１７を設けてあると共に前記中間壁１７には軸孔１９及びこれを挟んで左右にそれぞれ二個の押し込み可能な係止爪１７ａを設けてあり、また、前記中間壁１７と対応する前壁１３ｃ部分には専用キー３による操作を可能とすべく切欠部１８を設けてある。
【００１７】
なお、上記係止爪１７ａは、図２に示す如く中間壁１７にコ字状又は逆コ字状のスリットを形成することによりできた横片の自由端部に配置されており、前記横片の弾性力により上述した如く押し込みができるようにしてある。また、係止爪１７ａは、図２に示すように、左側のものは下面を傾斜面とすると共に右側のものは上面を傾斜面とすることによりストッパ２が図４の状態から図３の状態までの範囲では専用キー３無しでも比較的容易に回動できるが、その逆の図３の状態から図４の状態には専用キー３無しでは回動しないようにしてある。
〔ストッパ２の構成について〕
ストッパ２は、図２に示すように、収納ケースＫの下側への移動を妨げる当接部２０及び上記係止爪１７ａと対応する位置に設けられたキー操作用孔２１とを有した板状の主体２ａと、前記主体２ａの中央部に設けられた軸部２ｂとから構成されており、軸部２ｂが軸孔１９に嵌め込まれると共に主体２ａが前壁１３ｃと中間壁１７の間に挿入された状態に装着されている。なお、この実施形態ではストッパ２の回動範囲は、図３や図４に示すように、左側の側壁１３ａの下端部に形成された長孔ｈの構成壁と、主体２ａの左端に形成された小片２２との係合により規制されるものとしてある。
〔専用キー３の構成について〕
専用キー３は、図１に示すように、手で掴むための把持部３０と、この把持部３０の一縁に係止爪１７ａと対応させて配置された四個の軸部３１とから構成されている。ここで、軸部３１は係止爪１７ａの突出端を中間壁１７内に押し込み得る長さに設定してあり、これによりキー操作用孔２１の構成壁と係止爪１７ａが容易に係合解除できるようにしてある。
〔従来の技術の欄に記載したゲートシステムにこの保持具を使用して展示する場合〕
従来の技術の欄に記載したゲートシステムにこの保持具を使用して展示する場合、ゲートシステムが検知できる盗難防止用タグを薄肉部１６に貼設する。
【００１８】
そして、図３に示す如く、四個の係止爪１７ａがそれぞれに対応するキー操作用孔２１に挿入状態にし、ストッパ２を回動不能にしておく。この状態では、収納ケースＫが下側への移動ができない状態になっているから、本体１からコンパクトディスクが収容された収納ケースＫを取り出すことはできない。
【００１９】
したがって、保持具が付いた商品をそのまま店外に持ち出そうとすると、ゲートシステムがこれを検知し、盗難は防止される。
〔ゲートシステムのところで店員が保持具を外す場合〕
客が保持具のついた収納ケースＫを持参してくると、ゲート手前で店員はそれ受け取る。この状態では収納ケースＫは本体１の係合片１１，１２及びストッパ２の当接部２０との関係は図３のようになっている。
【００２０】
ここで、上記した専用キー３の軸部３１をキー操作用孔２１に差し込んで（図５参照）、キー操作用孔２１の構成壁と係止爪１７ａとの係合を解除し、この状態で専用キー３を反時計方向に回す。すると、収納ケースＫと、本体１の係合片１１，１２及びストッパ２の当接部２０との関係は図４のようになる。即ち、収納ケースＫをこれの上端部と係合片１１との対面が外れるまで移動できるようになる。
【００２１】
収納ケースＫの移動後、店員は取出孔１５に指を挿入して本体１から収納ケースＫの上端を押し出し、前記上端を指で掴んで収納ケースＫを引っ張り出す。その後所定の手続きをした後、収納ケースＫのみが客に手渡される。
〔他の実施形態について〕
▲１▼．ストッパ側に押し込み可能な係止爪を形成し、本体側にキー操作用孔を設けるようにしてもよい。
▲２▼．係止爪及びキー操作用孔の数は上記実施例に限定されず、１個、２個、３個、５個以上とすることもできる。
▲３▼．ビデオソフト収納ケースや所謂ファミコン収納ケースを保護対象とすることができる。この場合、前記ケースに対応させて本体を形成する必要がある。
【００２２】
【発明の効果】
この発明は上記のような構成であるから、次の効果を有する。
【００２３】
課題を解決する手段の欄や発明の実施の形態の欄に記載した内容から明らかなように、ソフトの盗難が有効に防止できるソフト収納ケースの保持具を提供できた。
【図面の簡単な説明】
【図１】この発明の実施形態であるシングル盤用のコンパクトディスク収納ケースの保持具の斜視図。
【図２】前記保持具の分解斜視図。
【図３】前記保持具の正面図であって、収納ケースが抜け止め状態となっている場合を示す図。
【図４】前記保持具の正面図であって、収納ケースが取り出し可能な状態となっている場合を示す図。
【図５】前記保持具の縦断面図であって、専用キーの軸部をキー操作用孔に挿入する直前の図。
【図６】先行技術のソフト収納ケースの保持具の要部断面図。
【図７】先行技術のソフト収納ケースの保持具のロック機構を開いた状態を示す断面図。
【符号の説明】
Ｋ      収納ケース
１      本体
２      ストッパ
３      専用キー
１０    収容部
１１    係合片
１２    係合片
１７ａ  係止爪
２１    キー操作用孔
【図１】
0003733560.tif 000002
【図２】
0003733560.tif 000003
【図３】
0003733560.tif 000004
【図４】
0003733560.tif 000005
【図５】
0003733560.tif 000006
【図６】
0003733560.tif 000007
【図７】
0003733560.tif 000008